(57)【要約】【課題】画質の劣化を抑制しつつ、転送時間の短縮を図ることができる撮像装置を提供する。【解決手段】被写体像を光電変換する複数の画素と、複数の画素の信号を圧縮する圧縮部とを有する撮像素子と、撮像素子から複数の画素の信号を読み出す読み出し部と、撮像条件に応じて、圧縮部による複数の画素の信号の圧縮動作を制御する制御部とを備える。【選択図】  図６
2019216410.tif 000002
【特許請求の範囲】
【請求項１】
被写体像を光電変換する複数の画素と、前記複数の画素の信号を圧縮する圧縮手段とを有する撮像素子と、
前記撮像素子から前記複数の画素の信号を読み出す読み出し手段と、
撮像条件に応じて、前記圧縮手段による前記複数の画素の信号の圧縮動作を制御する制御手段と、
を備えることを特徴とする撮像装置。
【請求項２】
前記撮像条件は、メカシャッタの使用有無を含み、前記制御手段は、前記メカシャッタを用いないで撮像を行った場合に、前記圧縮手段により前記複数の画素の信号を圧縮するように制御することを特徴とする請求項１に記載の撮像装置。
【請求項３】
前記撮像条件は、前記画素の信号のノイズ量を含み、前記制御手段は、前記画素の信号のノイズが所定の量よりも多い場合に、前記圧縮手段により前記複数の画素の信号を圧縮するように制御することを特徴とする請求項１または２に記載の撮像装置。
【請求項４】
前記撮像条件は、前記撮像装置の温度を含み、前記制御手段は、前記撮像装置の温度が所定の温度よりも高い場合に、前記圧縮手段により前記複数の画素の信号を圧縮するように制御することを特徴とする請求項１または２に記載の撮像装置。
【請求項５】
前記撮像条件は、電池の残量を含み、前記制御手段は、前記電池の残量が所定の残量よりも少ない場合に、前記圧縮手段により前記複数の画素の信号を圧縮するように制御することを特徴とする請求項１、２、４のいずれか１項に記載の撮像装置。
【請求項６】
前記撮像条件は、被写体の動きを含み、前記制御手段は、被写体の動きがある場合に、前記圧縮手段により前記複数の画素の信号を圧縮するように制御することを特徴とする請求項１、２、４、５のいずれか１項に記載の撮像装置。
【請求項７】
前記撮像条件は、ズーム倍率を含み、前記制御手段は、前記ズーム倍率が所定の倍率よりも高い場合に、前記圧縮手段により前記複数の画素の信号を圧縮するように制御することを特徴とする請求項１、２、４乃至６のいずれか１項に記載の撮像装置。
【請求項８】
前記撮像条件は、前記画素の信号のノイズを含み、前記制御手段は、前記画素の信号のノイズが所定の量よりも多い場合に、前記圧縮手段により前記複数の画素の信号を圧縮するように制御することを特徴とする請求項１、２、４乃至７のいずれか１項に記載の撮像装置。
【請求項９】
前記撮像条件は、ＩＳＯ感度を含み、前記制御手段は、ＩＳＯ感度が所定の感度よりも高い場合に、前記圧縮手段により前記複数の画素の信号を圧縮して読み出すように制御することを特徴とする請求項１、２、４乃至８のいずれか１項に記載の撮像装置。
【請求項１０】
前記撮像条件は、露光時間を含み、前記制御手段は、露光時間が所定の時間よりも長い場合に、前記圧縮手段により前記複数の画素の信号を圧縮するように制御することを特徴とする請求項１、２、４乃至９のいずれか１項に記載の撮像装置。
【請求項１１】
被写体像を光電変換する複数の画素と、前記複数の画素の信号を圧縮する圧縮手段とを有する撮像素子を備える撮像装置を制御する方法であって、
前記撮像素子から前記複数の画素の信号を読み出す読み出し工程と、
撮像条件に応じて、前記圧縮手段による前記複数の画素の信号の圧縮動作を制御する制御工程と、
を有することを特徴とする撮像装置の制御方法。
【発明の詳細な説明】
【技術分野】
【０００１】
本発明は、撮像装置及びその制御方法に関する。
【背景技術】
【０００２】
近年、撮像素子は画素を微細化することにより多画素化し、解像度の高い画像を撮影することが可能となっている。コンシューマ向けの撮像装置においても１０００万画素〜５０００万画素が一般的となってきている。
【０００３】
しかしながら、撮像素子から画像信号処理回路への転送路の転送容量が一定であることから、撮像素子の画素数が増えることにより相対的に被写体の全画像信号の転送時間が長くなり、被写体の上部と下部の転送時刻の違いから歪が発生する。これをローリングシャッタ歪という。
【０００４】
この課題に対して、特許文献１では撮像素子内で画像信号を圧縮し転送データ量を削減することが開示されている。
【先行技術文献】
【特許文献】
【０００５】
【特許文献１】特開２０１０−２５２３９６号公報
【発明の概要】
【発明が解決しようとする課題】
【０００６】
特許文献１に開示されている技術では、画像信号を圧縮することにより転送時間を短縮することができ、ローリングシャッタ歪を抑制することができる。しかしながら、画像信号を圧縮すると、ビット精度が低下して画像信号が劣化し、画質を低下させるという問題が発生する。
【０００７】
本発明は上述した課題に鑑みてなされたものであり、その目的は、画質の劣化を抑制しつつ、転送時間の短縮を図ることができる撮像装置を提供することである。
【課題を解決するための手段】
【０００８】
本発明に係わる撮像装置は、被写体像を光電変換する複数の画素と、前記複数の画素の信号を圧縮する圧縮手段とを有する撮像素子と、前記撮像素子から前記複数の画素の信号を読み出す読み出し手段と、撮像条件に応じて、前記圧縮手段による前記複数の画素の信号の圧縮動作を制御する制御手段と、を備えることを特徴とする。
【発明の効果】
【０００９】
本発明によれば、画質の劣化を抑制しつつ、転送時間の短縮を図ることができる撮像装置を提供することが可能となる。
【図面の簡単な説明】
【００１０】
【図１】本発明の一実施形態の撮像装置における撮像素子の構成を示す図。
【図２】本発明の一実施形態における画素及びカラムＡＤＣブロックの構成例を示す図。
【図３】本発明の一実施形態における撮像素子の画素配列を示す図。
【図４】本発明の一実施形態における撮像装置の構成を示すブロック図。
【図５】撮像素子と撮像信号処理回路の接続の状態を示す図。
【図６】撮像素子で圧縮を行うか否かを判断する条件を示す図。
【図７】撮像素子の制御タイミングを示す図。
【図８】撮像素子で圧縮を行うか否かを判定する動作を示すフローチャート。
【発明を実施するための形態】
【００１１】
以下、本発明の一実施形態について、添付図面を参照して詳細に説明する。
【００１２】
図１（ａ）は、本発明の実施形態における撮像素子１００の構成を示すブロック図、図１（ｂ）は、撮像素子１００の外観を示す概略図である。図１（ｂ）に示すように、撮像素子１００は、第１の半導体チップ１０（撮像層）及び第２の半導体チップ１１（回路層）から形成され、第２の半導体チップ１１上に第１の半導体チップ１０が積層されている。
【００１３】
第１の半導体チップ１０には、マトリックス状に配列された複数の画素１０１からなる画素部が、光の入射側、つまり、光学像の受光側に配置される。第１の半導体チップ１０上にマトリクス状に配列された画素１０１は、水平方向（行方向）に行単位で、転送信号線１０３、リセット信号線１０４、及び行選択信号線１０５に接続されている。一方、垂直方向（列方向）には、列出力線１０２ａまたは１０２ｂに接続されている。列出力線１０２ａに接続された画素１０１を第１の画素群、列出力線１０２ｂに接続された画素１０１を第２の画素群とする。
【００１４】
第２の半導体チップ１１上には、各列に設けられたカラムＡＤＣブロック１１１ａ及び１１１ｂと、行走査回路１１２、列走査回路１１３ａ及び１１３ｂ、タイミング制御回路１１４等の画素駆動回路が形成されている。更に、切り替えスイッチ１１６、フレームメモリ１２０、素子内演算部１２３、リサイズ変換部１１９、圧縮回路１１７、パラレル／シリアル変換部（以下、Ｐ／Ｓ変換部）１１８も形成されている。
【００１５】
このように、第１の半導体チップ１０に画素１０１を形成し、第２の半導体チップ１１に画素駆動回路やメモリ回路、演算回路等を形成することで、撮像素子１００の撮像層と回路層とで製造プロセスを分けることができる。その結果、回路層における配線の細線化、高密度化による高速化、小型化、および高機能化を図ることができる。
【００１６】
撮像素子１００の画素１０１は、行走査回路１１２から、転送信号線１０３、リセット信号線１０４、行選択信号線１０５を介して制御信号により電荷の蓄積及び読み出しが制御される。そして、行走査回路１１２により選択された行の画素１０１から信号が読み出される。本実施形態では、出力チャンネルとして、２系統の出力チャンネルを有する。第１の出力チャンネルは、カラムＡＤＣブロック１１１ａ、列走査回路１１３ａ、信号線１１５ａから構成され、第２の出力チャンネルは、カラムＡＤＣブロック１１１ｂ、列走査回路１１３ｂ、信号線１１５ｂから構成される。これにより、２行分の画素１０１から、信号を並行して読み出すことができる。
【００１７】
第１の画素群の画素１０１から読み出された信号は、各列の列出力線１０２ａを介して、第１の出力チャンネルのカラムＡＤＣブロック１１１ａに送られてＡＤ変換される。また、第２の画素群の画素１０１から読み出された信号は、各列の列出力線１０２ｂを介して、第２の出力チャンネルのカラムＡＤＣブロック１１１ｂに送られてＡＤ変換される。その後、列走査回路１１３ａまたは１１３ｂにより読み出す列が順次選択されて、ＡＤ変換された画像信号が信号線１１５ａまたは１１５ｂを介して切り替えスイッチ１１６に出力される。なお、第１及び第２の出力チャンネルの内、いずれか一方の出力チャンネルを用いて、１行おきに画素１０１から信号を読み出すことも可能である。
【００１８】
タイミング制御回路１１４は、全体制御演算部３０９からの制御に基づいて、行走査回路１１２、カラムＡＤＣブロック１１１ａ，１１１ｂ、列走査回路１１３ａ，１１３ｂにタイミング信号を送る。
【００１９】
切り替スイッチ１１６は、信号線１１５ａ，１１５ｂから出力される画像信号を順次フレームメモリ１２０へ選択的に出力するためのスイッチである。フレームメモリ１２０は出力された画像信号を画像データとして一時的に記憶する。
【００２０】
素子内演算部１２３は、駆動モードに応じて画像データのリサイズ処理や圧縮処理の演算を行う。リサイズ変換部１１９は、素子内演算部１２３にて算出された結果を基にフレームメモリ１２０に保存された画像データを必要な画角にリサイズして圧縮回路１１７に出力する。
【００２１】
圧縮回路１１７ではウェーブレット変換方式等の圧縮方式を用いて画像信号の圧縮動作を行う。また、圧縮を行った場合に、ビット精度が低下するため、画質を劣化させることがあるが、ノイズなどの不要な成分も除去されるため、ノイズが減少することもある。
なお、リサイズや圧縮の処理が不要な場合には、切り替スイッチ１１６から直接Ｐ／Ｓ変換部１１８への転送が行われる。Ｐ／Ｓ変換部１１８は、画像データにパラレル・シリアル変換を行って、撮像素子１００の外部にある撮像信号処理回路３０７へと送る。
【００２２】
撮像素子１００と撮像信号処理回路３０７の間は複数のレーンで接続されており、駆動モードに応じて、異なる画素の信号や同一の画素の信号がメインストリーム１２１とサブストリーム１２２とに振り分けられて、或いはメインストリーム１２１のみから出力される。このように撮像素子１００から２系統の画像信号の出力を並行して行うマルチストリーム駆動により、撮像素子１００から画像信号を高速に出力することができる。
【００２３】
また、撮像素子１００の読み出し駆動方式として、全画素を読み出す駆動、垂直方向の画素数を１／３や１／５に間引く読み出し駆動、水平方向の画素信号を混合する読み出し駆動、垂直間引き水平混合駆動などを選択することが可能である。また、全画素を読み出す駆動と、１／３垂直間引き水平混合駆動を同時に出力するマルチストリーム駆動１や、１／３垂直間引き水平混合駆動と１／７垂直間引き水平混合駆動を同時に出力するマルチストリーム駆動２を選択することも可能である。なお、本実施形態では例えば、静止画撮影時は全画素を読み出す駆動、静止画撮影前の駆動は１／５に間引く読み出し駆動を採用する。
【００２４】
図２は、本実施形態における撮像素子１００の１つの画素１０１の構成及び、１つのカラムＡＤＣブロック１１１の詳細を示した図である。図１及び図２を用いて、本発明の実施形態における撮像素子１００の動作の概略を説明する。なお、カラムＡＤＣブロック１１１ａとカラムＡＤＣブロック１１１ｂは同じ構成を有するため、図２では、カラムＡＤＣブロック１１１と記載している。
【００２５】
図２において、画素１０１に含まれるフォトダイオード（ＰＤ）２０１は、受光した光をその光量に応じた電荷量の光電荷（ここでは、電子）に光電変換する。転送トランジスタ２０２は、ＰＤ２０１のカソードと増幅トランジスタ２０４のゲートとの間に接続され、ゲートに転送信号線１０３を介して転送パルスφＴＲＳが与えられることによってオン状態となる。増幅トランジスタ２０４のゲートと電気的に繋がったノードは、フローティングディフュージョン（ＦＤ）部２０６を構成する。転送パルスφＴＲＳにより転送トランジスタ２０２がオン状態となることによって、ＰＤ２０１で光電変換された光電荷が、ＦＤ部２０６に転送される。
【００２６】
リセットトランジスタ２０３は、ドレインが画素電源Ｖｄｄに、ソースがＦＤ部２０６にそれぞれ接続され、ゲートにリセット信号線１０４を介してリセットパルスφＲＳＴが与えられることによってオン状態となる。そして、ＰＤ２０１からＦＤ部２０６への光電荷の転送に先立って、リセットトランジスタ２０３をオン状態とすることにより、ＦＤ部２０６の電荷を画素電源Ｖｄｄにリセットする。
【００２７】
増幅トランジスタ２０４は、ゲートがＦＤ部２０６に、ドレインが画素電源Ｖｄｄにそれぞれ接続される。また、選択トランジスタ２０５は、ドレインが増幅トランジスタ２０４のソースに、ソースが列出力線１０２にそれぞれ接続され、ゲートに行選択信号線１０５を介して選択パルスφＳＥＬが与えられることによって、オン状態となる。
【００２８】
選択トランジスタ２０５がオン状態の間に、まず、リセットトランジスタ２０３によってリセットした後のＦＤ部２０６の電位をリセットレベルとして列出力線１０２に出力する。さらに、転送トランジスタ２０２をオン状態とすることによって、光電荷を転送した後のＦＤ部２０６の電位を信号レベルとして列出力線１０２に出力する。本実施形態ではトランジスタ２０２〜２０５として、ＮチャネルのＭＯＳトランジスタを用いている。
【００２９】
なお、画素１０１の構成は、上記構成に限られるものでは無く、例えば、選択トランジスタ２０５を、画素電源Ｖｄｄと増幅トランジスタ２０４のドレインとの間に接続した回路構成を採ることも可能である。また、上述した４つのトランジスタ構成のものに限られるものではなく、例えば、増幅トランジスタ２０４と選択トランジスタ２０５を兼用した３トランジスタ構成のものであっても良い。
【００３０】
画素１０１から列出力線１０２を介して出力される信号は、カラムＡＤＣブロック１１１に伝送される。カラムＡＤＣブロック１１１は、比較器２１１、アップダウンカウンタ（Ｕ／Ｄ  ＣＮＴ）２１２、メモリ２１３、ＤＡコンバータ（ＤＡＣ）２１４を有する。
【００３１】
比較器２１１は、一対の入力端子の一方に列出力線１０２が接続され、他方にＤＡＣ２１４が接続される。ＤＡＣ２１４は、タイミング制御回路１１４から入力される基準信号に基づいて信号レベルが時間の経過とともにランプ状に変化するランプ信号を出力する。そして比較器２１１は、ＤＡＣ２１４から入力されるランプ信号のレベルと、列出力線１０２から入力される信号のレベルとを比較する。タイミング制御回路１１４は、全体制御演算部３０９からの指令に基づきＤＡＣ２１４へ基準信号を出力する。
【００３２】
比較器２１１は、例えば、画像信号のレベルがランプ信号のレベルより低い場合にはハイレベルの比較信号を出力し、画像信号のレベルがランプ信号のレベルより高い場合にはローレベルの比較信号を出力する。アップダウンカウンタ２１２は、比較器２１１に接続され、例えば比較信号がハイレベルとなる期間、またはローレベルとなる期間をカウントする。
【００３３】
このカウント処理により、各画素１０１の出力信号はデジタル値に変換される。なお、比較器２１１とアップダウンカウンタ２１２との間にアンド回路を設け、このアンド回路にパルス信号を入力し、このパルス信号の個数をアップダウンカウンタ２１２によりカウントさせてもよい。
【００３４】
メモリ２１３は、アップダウンカウンタ２１２と接続され、アップダウンカウンタ２１２によりカウントされたカウント値を記憶する。なお、カラムＡＤＣブロック１１１では、画素１０１のリセットレベルに対応したカウント値をカウントした後、所定の撮像時間後の信号レベルに対応したカウント値をカウントし、これらの差分値をメモリ２１３に記憶させてもよい。その後、メモリ２１３に記憶されたカウント値は、画像信号として、列走査回路１１３からの信号に同期して、信号線１１５ａまたは信号線１１５ｂを介して切り替スイッチ１１６に伝送される。
【００３５】
なお、カラムＡＤＣブロック１１１は上述した構成に限られるものでは無く、公知のカラムＡＤＣを用いても良いことは言うまでも無い。
【００３６】
図３は、本実施形態における撮像素子１００の画素配列を模式的に示した図である。カラーフィルタにはベイヤー配列が適用され、奇数行の画素には、左から順に赤（Ｒ）と緑（Ｇｒ）のカラーフィルタが交互に設けられる。また、偶数行の画素には、左から順に緑（Ｇｂ）と青（Ｂ）のカラーフィルタが交互に設けられる。また、オンチップマイクロレンズ２０１がカラーフィルタ２０２の上に形成されている。
【００３７】
図４は、本実施形態における図１〜図３で説明した撮像素子を用いた撮像装置３００の構成を示したブロック図である。
【００３８】
図４において、撮像装置３００は、レンズ３０１、レンズ駆動部３０２、メカニカルシャッタ３０３（以下、メカシャッタ）、絞り３０４、シャッタ・絞り駆動部３０５、撮像素子１００、撮像信号処理回路３０７を備える。また、撮像装置３００は、第１のメモリ部３０８、全体制御演算部３０９、記録媒体制御インターフェース部（以下、記録媒体制御Ｉ／Ｆ部）３１０、表示部３１１、記録媒体３１２、外部インターフェース部（以下、外部Ｉ／Ｆ部）３１３を備える。撮像装置３００は、さらに、第２のメモリ部３１４、操作部３１５、デコード回路３１６、温度計３１７、電源３１８を備える。
【００３９】
レンズ３０１を通過した被写体からの反射光は、絞り３０４により適切な光量に調整され、撮像素子１００上の撮像面上に被写体像として結像される。撮像素子１００上の撮像面に結像された被写体像は、画素１０１により光電変換され、さらにゲイン調整、アナログ信号からデジタル信号への変換を行うＡ／Ｄ変換が行われ、Ｒ，Ｇｒ，Ｇｂ，Ｂの信号として撮像信号処理回路３０７に送られる。
【００４０】
撮像素子１００で圧縮された画像信号は、撮像信号処理回路３０７のデコード回路３１６でデコード処理される。また、撮像信号処理回路３０７では、撮像した画像信号を用いて所定の演算処理が行われ、得られた演算結果に基づいて全体制御演算部３０９が露光制御、自動焦点調節制御を行う。これにより、ＴＴＬ（スルー・ザ・レンズ）方式のＡＥ（自動露出）処理、ＥＦ（フラッシュ自動調光発光）処理が行われる。
【００４１】
さらに、撮像信号処理回路３０７では、撮像された画像信号を用いて所定の演算処理を行い、得られた演算結果に基づいてＴＴＬ方式のＡＷＢ（オートホワイトバランス）処理も行う。また、ノイズを軽減するローパスフィルタ処理やシェーディング処理などの各種の撮像信号処理、さらに各種の補正、画像信号の圧縮等が行われる。
【００４２】
レンズ３０１は、レンズ駆動部３０２によってズーム、フォーカス等が駆動制御される。メカシャッタ３０３、絞り３０４はシャッタ・絞り駆動部３０５によって駆動制御される。全体制御演算部３０９は撮像装置３００全体の制御と各種演算を行う。
【００４３】
第１のメモリ部３０８は画像信号を一時的に記憶する。記録媒体制御インターフェース部３１０では記録媒体への画像信号の記録または読み出しを行う。表示部３１１は画像信号の表示を行う。記録媒体３１２は半導体メモリ等の着脱可能な記録媒体であり、画像信号の記録または読み出しを行う。
【００４４】
外部インターフェース部３１３は外部コンピュータ等と通信を行うためのインターフェースである。第２のメモリ部３１４は全体制御演算部３０９での演算結果を記憶する。操作部３１５によりユーザーが設定した撮像装置３００の駆動条件に関する情報は、全体制御演算部３０９に送られ、これらの情報に基づいて撮像装置３００全体の制御が行われる。温度計３１７は撮像装置３００の温度を測定するために用いられる。電源３１８はアルカリ電池等の一次電池、ＮｉＣｄ電池やＮｉＭＨ電池、Ｌｉイオン電池等の二次電池、ＡＣアダプター等からなる。
【００４５】
図５は、本実施形態における撮像素子１００と撮像信号処理回路３０７の接続の状態を示す図である。撮像素子１００は画像信号を出力するとき、圧縮回路１１７で圧縮を行う場合と、圧縮を行わない場合を切り替えて、撮像信号処理回路３０７へ転送する。撮像信号処理回路３０７では、画像信号をデコード回路３１６でデコードする処理を行う。
【００４６】
図６は、撮像素子１００で圧縮を行うか否かを判断する条件を示した図である。各条件の判断は全体制御演算部３０９で行われる。図６の条件Ａでは、メカシャッタ３０３を使用した撮影か否か（メカシャッタの使用有無）で圧縮回路１１７を使用するか否かを判断する。メカシャッタ３０３を閉じてから画像信号を転送する場合にはローリングシャッタ歪が発生しないが、メカシャッタ３０３が開いている場合には信号転送時の画面上部と下部の時間差が歪となるため、高速な転送が必要となり、圧縮回路１１７を使用する。
【００４７】
図６の条件Ｂでは、被写体の動作速度に応じて、圧縮回路１１７を使用するか否かを判断する。被写体の動作速度は、撮像信号処理回路３０７において、前フレームの画像信号と現フレームの画像信号の差分を算出して判断する。算出された被写体の移動量が大きい場合には、ローリングシャッタ歪が大きくなるので、圧縮回路１１７で画像信号を圧縮する。移動量が少ない場合には、圧縮回路１１７を使用しない。
【００４８】
また、ユーザーは操作部３１５を用いて撮影モードを設定することが可能である。撮影モードとしては、オートモードやメカシャッタ３０３を使用しないサイレント撮影モードを備えている。オートモードは、カメラの各種パラメータが、計測された評価値に基づいて撮像信号処理回路３０７に組み込まれたプログラムにより自動的に決定される静止画撮影モードである。
【００４９】
サイレント撮影モードは、メカシャッタ３０３を使用しないため、メカシャッタ３０３の動作音を無くすことが可能で、静かなシーンでの撮影に向いた撮影モードである。サイレント撮影モード時はメカシャッタ３０３を使用しないため、ローリングシャッタ歪が発生しやすくなる。そのため、静止画撮影前に、被写体の移動量を検知しやすくするために、撮像素子１００の読み出し駆動をマルチストリーム駆動２に変更し、１／７垂直間引き水平混合駆動で高速に読み出す。
【００５０】
図６の条件Ｃでは、ＩＳＯ感度が高いか否かで圧縮回路１１７を使用するか否かを判断する。ＩＳＯ感度が高い場合、撮像素子３０３のノイズが増えるため、圧縮回路１１７を使用することにより、ノイズの削減を行う。これは、圧縮を行った場合、ビット精度が低下して画質を劣化させることがあるが、ノイズなどの不要な成分も除去されるため、ノイズが減少することが期待できるからである。
【００５１】
図６の条件Ｄでは、レンズ３０１のズーム倍率に応じて、圧縮回路１１７を使用するか否かを判断する。ズーム倍率が高い場合、ユーザーの手振れが発生しやすくなって、ローリングシャッタ歪が発生しやすくなるため、圧縮回路１１７を使用する。
【００５２】
図６の条件Ｅでは、撮像素子１００の露光時間に応じて、圧縮回路１１７を使用するか否かを判断する。露光時間が長い場合、撮像素子３０３のノイズが増えるため、圧縮回路１１７を使用することで、ノイズの削減を行う。
【００５３】
図６の条件Ｆでは、撮像素子１００の画像信号のノイズ量に応じて、圧縮回路１１７を使用するか否かを判断する。複数フレームの画像信号のノイズ量の平均値を測定し、算出されたノイズ量が一定値以上の場合には、圧縮回路１１７を使用することでノイズの削減を行う。
【００５４】
図６の条件Ｇでは、撮像装置３００の温度を温度計３１７で測定し、高温か否かに応じて、圧縮回路１１７を使用するか否かを判断する。高温の場合、電力を削減することで温度を下げることができる。そのため、圧縮回路１１７で画像信号を圧縮し、転送データ量を削減することで電力を削減する。
【００５５】
ここで、図７を用いて転送データ量を削減した場合の省電力効果について説明する。撮像素子３０３は、画像信号の転送が終わってから次のフレームの転送が開始されるまでの間、撮像素子３０３を動作させないＰｏｗｅｒＳａｖｅ動作を行うことができる。圧縮回路１１７を用いて転送データ量を削減することにより、圧縮回路１１７を使用しない場合よりＰｏｗｅｒＳａｖｅ期間を長くすることができるため、電力を削減することが可能である。
【００５６】
図６の条件Ｈでは、撮像装置３００の電源３１８での電池残量に応じて、圧縮回路１１７を使用するか否かを判断する。電池残量が少ない場合、電力を削減することが必要であり、圧縮回路１１７で画像信号を圧縮し、転送データ量を削減して電力を削減する。
【００５７】
図８は、図６の条件に基づいて圧縮を行うか否かを判断するシーケンスを示すフローチャートである。
【００５８】
Ｓ７０１において、全体制御演算部３０９は、メカシャッタ３０３の有無を判断する（条件Ａ）。Ｓ７０１の判定でメカシャッタ３０３を用いていればＳ７０２に進み、メカシャッタ３０３を用いていなければＳ７０５に進む。
【００５９】
Ｓ７０２では、ノイズ量が所定の量よりも多いか否かを判断する（条件Ｆ）。Ｓ７０２でノイズ量が所定の量よりも多いと判断された場合、Ｓ７０３に進み、ノイズ量が所定の量よりも多いと判断されなければ、Ｓ７０４に進む。Ｓ７０３では、圧縮回路１１７で画像信号を圧縮し、圧縮を行うか否かの判断シーケンスを終了する。Ｓ７０４では、圧縮回路１１７を使用せず、圧縮を行うか否かの判断シーケンスを終了する。
【００６０】
Ｓ７０５では、撮像装置の温度が所定の温度よりも高温か否かの判断を行う（条件Ｇ）。Ｓ７０５で所定の温度よりも高温と判断された場合は、Ｓ７０３へ進み、所定の温度よりも高温でないと判断された場合は、Ｓ７０６に進む。
【００６１】
Ｓ７０６では、電池残量が所定の残量よりも少ないか否かの判断を行う（条件Ｈ）。Ｓ７０６で電池残量が所定の残量よりも少ないと判断された場合は、Ｓ７０３へ進み、電池残量が所定の残量よりも少なくないと判断された場合は、Ｓ７０７に進む。
【００６２】
Ｓ７０７では、被写体が動作しているかどうかの判断を行う（条件Ｂ）。Ｓ７０７で被写体に動きがあると判断された場合は、Ｓ７０３へ進み、被写体に動きがないと判断された場合は、Ｓ７０８に進む。
【００６３】
Ｓ７０８では、ズーム倍率が所定の倍率よりも高いＴｅｌｅ側か否かの判断を行う（条件Ｄ）。Ｓ７０８で高倍率のＴｅｌｅ側と判断された場合は、Ｓ７０３へ進み、高倍率のＴｅｌｅ側ではないと判断された場合は、Ｓ７０９に進む。
【００６４】
Ｓ７０９では、ノイズ量が所定の量よりも多いか否かの判断を行う（条件Ｆ）。Ｓ７０９でノイズ量が所定の量よりも多いと判断された場合、Ｓ７０３へ進み、ノイズ量が所定の量よりも多いと判断されなかった場合は、Ｓ７１０に進む。
【００６５】
Ｓ７１０では、ＩＳＯ感度が所定の感度よりも高いか否かの判断を行う（条件Ｃ）。Ｓ７１０でＩＳＯ感度が所定の感度よりも高いと判断された場合は、Ｓ７０３へ進み、ＩＳＯ感度が所定の感度よりも高いと判断されなかった場合は、Ｓ７１１に進む。
【００６６】
Ｓ７１１では、露光時間が所定の時間よりも長い長秒か否かの判断を行う（条件Ｅ）。Ｓ７１１で長秒と判断された場合、Ｓ７０３へ進み、長秒と判断されなかった場合は、Ｓ７０４へ進む。
【００６７】
以上のように、撮像素子１００で画像信号を圧縮させるか否かを撮影条件（撮像条件）に応じて切り替えることで、画質の劣化を抑制しつつ、転送時間の短縮を図ることが可能となる。
【００６８】
以上、本発明の好ましい実施形態について説明したが、本発明はこれらの実施形態に限定されず、その要旨の範囲内で種々の変形及び変更が可能である。
【００６９】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７０】
１００：撮像素子、３０１：レンズ、３０２：レンズ駆動部、３０３：メカシャッタ、３０４：絞り、３０５：シャッタ・絞り駆動部、３０７：撮像信号処理回路、３０８：第１のメモリ部、３０９：全体制御演算部、３１０：記録媒体制御Ｉ／Ｆ部、３１１：表示部、３１２：記録媒体、３１３：外部Ｉ／Ｆ部、３１４：第２のメモリ部、３１５：操作部、３１６：デコード回路、３１７：温度計、３１８：電源
【図１】
2019216410.tif 000003
【図２】
2019216410.tif 000004
【図３】
2019216410.tif 000005
【図４】
2019216410.tif 000006
【図５】
2019216410.tif 000007
【図６】
2019216410.tif 000008
【図７】
2019216410.tif 000009
【図８】
2019216410.tif 000010